(57)【要約】端末相互間でのトランザクション取引処理システムおよび方法は、トランザクション取引の金額を計算することと、携帯用ＰＯＳデバイスで顧客提示カードから提示カード情報を取り込むことと、提示カード情報をＰＣベースのＰＯＳシステムに送信することと、提示カード情報、販売情報、および承認要求を取得者に送信することと、提示情報、販売情報、および承認要求を発行者に送信することと、許可または拒絶を決定するために、提示情報、販売情報、および承認要求を処理することと、許可または拒絶を取得者に送信することと、許可または拒絶をＰＣベースのＰＯＳシステムに送信することと、を提供する。
2009529732.tif 000002
【特許請求の範囲】
【請求項１】
トランザクション取引を処理する方法であって、
携帯用販売時点管理デバイスで、提示カードの情報記憶媒体から独自の識別子を読み込むステップと、
無線ネットワークプロトコルに従って、該独自の識別子を、該携帯用販売時点管理デバイスからＰＣベースの販売時点管理システムに送信するステップと、
該独自の識別子を、該ＰＣベースの販売時点管理システムからホストコンピュータシステムに送信するステップと、
該独自の識別子に基づいて、該ホストコンピュータシステムで該トランザクション取引を処理するステップと、
承認の返答を取得するために、承認要求を発行事業体に送信するステップであって、承認要求は該処理されたトランザクション取引に基づいている、ステップと、
該承認の返答を、該携帯用販売時点管理デバイスに送信するステップと、
を包含する、方法。
【請求項２】
前記独自の識別子は、非無線のトランザクション取引処理ネットワークを介して、ＰＣベースの販売時点管理ベース端末から前記ホストコンピュータに送信される、請求項１に記載の方法。
【請求項３】
トランザクション取引情報を前記携帯用販売時点管理デバイスに表示するステップを包含する、請求項１に記載の方法。
【請求項４】
顧客の支払い承認を前記携帯用販売時点デバイスで受領するステップを包含する、請求項１に記載の方法。
【請求項５】
前記提示カードは、ＰＩＮデビットカード、署名デビットカード、クレジットカード、または前払いカードからなる群のうちから選択されるカードを備える、請求項１に記載の方法。
【請求項６】
前記携帯用販売時点管理デバイスからの前記独自の識別子は、ブルートゥースプロトコル、無線フィデリティ（ＷｉＦｉ）プロトコル、ワールドワイドインターオペラビリティフォアマイクロウエーブアクセス（ＷｉＭａｘ）プロトコル、および携帯電話用データプロトコルからなる群のうちから選択されるプロトコルに従って、前記ＰＣベースの販売時点管理システムに送信される、請求項１に記載の方法。
【請求項７】
前記携帯用販売時点管理デバイスのリーダで前記独自の識別子を読み取るステップであって、該リーダは、スマートカードリーダ、磁気ストリップリーダ、バーコードリーダ、無線周波数リーダ、およびニアフィールドコミュニケーションリーダからなる群のうちから選択されるリーダを備える、ステップを包含する、請求項１に記載の方法。
【請求項８】
トランザクション取引を処理する方法であって、
携帯用販売時点管理デバイスで、提示カードの情報記憶媒体から独自の識別子を読み取るステップと、
該独自の識別子を、該携帯用販売時点管理デバイスの携帯電話用データモデムからホストコンピュータシステムに送信するステップと、
該独自の識別子に基づいて、該ホストコンピュータシステムで該トランザクション取引を処理するステップと、
を包含する、方法。
【請求項９】
トランザクション取引情報を前記携帯用販売時点管理デバイスに表示するステップを包含する、請求項８に記載の方法。
【請求項１０】
顧客の支払い承認を前記携帯用販売時点管理デバイスで受領するステップを包含する、請求項８に記載の方法。
【請求項１１】
前記提示カードは、ＰＩＮデビットカード、署名デビットカード、クレジットカード、および前払いカードからなる群のうちから選択されるカードを備える、請求項８に記載の
方法。
【請求項１２】
前記携帯用販売時点管理デバイスからの前記独自の識別子は、携帯電話用データプロトコルに従って、ＰＣベースの販売時点管理システムに送信される、請求項８に記載の方法。
【請求項１３】
前記携帯用販売時点管理デバイスのリーダで前記独自の識別子を読み取るステップであって、該リーダは、スマートカードリーダ、磁気ストリップリーダ、バーコードリーダ、無線周波数リーダ、およびニアフィールドコミュニケーションリーダからなる群のうちから選択されるリーダを備える、ステップを包含する、請求項８に記載の方法。
【請求項１４】
トランザクション取引を処理するためのシステムであって、
提示カードの情報記憶媒体から独自の識別子を受信する入力と、
第一無線通信モジュールと、
を備える、携帯用販売管理デバイスと、
該独自の識別子が、該携帯用販売時点管理デバイスから販売時点管理ベース端末に無線で送信され得るように、無線ネットワークプロトコルを通じて該第一無線通信モジュールと通信するように構成される第二無線通信モジュールを備える、ＰＣベースの販売時点管理システムと、
該販売時点管理システムから該独自の識別子を受信し、該独自の識別子に基づいてトランザクション取引を処理するように構成される、ホストコンピュータシステムと、
を備える、システム。
【請求項１５】
前記携帯用販売時点管理デバイスは、ＰＩＮデビットカード、署名デビットカード、クレジットカード、および前払いカードからなる群のうちから選択される提示カードを受け入れるように構成される、請求項１４に記載のシステム。
【請求項１６】
前記携帯用販売時点管理デバイスは、ユーザにＰＩＮ番号の入力を要求するように構成される、請求項１４に記載のシステム。
【請求項１７】
携帯電話用データプロトコルが、携帯電話デジタルパケットデータ（ＣＤＰＤ）プロトコル、汎用パケット無線通信システム（ＧＳＭ／ＧＰＲＳ）プロトコル、および符号分割多重アクセス（ＣＤＭＡ）プロトコルからなる群のうちから選択されるプロトコルを備える、請求項１４に記載のシステム。
【請求項１８】
前記携帯用販売時点管理デバイスはＰＩＮパッドを備える、請求項１４に記載のシステム。
【請求項１９】
前記携帯用販売時点管理デバイスは、スマートカードリーダ、磁気ストリップリーダ、バーコードリーダ、無線周波数リーダ、およびニアフィールドコミュニケーションリーダからなる群のうちから選択されるリーダを備える、請求項１４に記載のシステム。
【請求項２０】
トランザクション取引を処理する方法であって、
トランザクション取引の金額を計算するステップと、
携帯用ＰＯＳデバイスで、顧客の提示カードから提示カード情報を取り込むステップと、
該提示カード情報をＰＣベースのＰＯＳシステムに送信するステップと、
該提示カード情報、販売情報、および承認要求を取得者に送信するステップと、
該提示情報、該販売情報、および該承認要求を発行者に送信するステップと、
許可または拒絶を決定するために、該提示情報、該販売情報、および該承認要求を処理するステップと、
該許可または該拒絶を、該取得者に送信するステップと、
該許可または該拒絶を、該ＰＣベースのＰＯＳシステムに送信するステップと、
を包含する、方法。
【発明の詳細な説明】
【技術分野】
【０００１】
本発明は、販売時点管理（ｐｏｉｎｔ−ｏｆ−ｓａｌｅ）デバイス、および販売時点管理トランザクション取引に関する。さらに詳しくは、本発明の実施形態は携帯用販売時点管理システムおよび方法に関する。
【背景技術】
【０００２】
小売商による顧客への物品の販売、またはサービスの提供において、販売時点管理（ｐｏｉｎｔ−ｏｆ  ｓａｌｅ  ｏｒ  ｐｏｉｎｔ−ｏｆ−ｓｅｒｖｉｃｅ）（ＰＯＳ）デバイスが、トランザクション取引を終了させるために小売商によってしばしば使用される。例えば、一般的な金銭登録機は、購入された品物のコストを記録し、現金による支払いを受け入れ、適切な金額の釣銭を返すために使用され得る。一部の場合には、この様な金銭登録器は、クレジットカードリーダと併せて使用され得る。さらに詳しくは、小売商は、請求すべき合計金額を金銭登録機に記録し、クレジットカードをカードリーダに通して、顧客の口座から金額を引き落とし、その結果、金銭登録機はクレジットカードによる支払いを認識する。このようなトランザクション取引を終了させるデバイスが存在する一方で、しばしばこのようなデバイスの機能性は限られたものであって、望ましくない非能率をもたらし、また、ある商業的および小売販売環境下での不正行為のリスクをもたらしている。
【０００３】
例えば、公知のトランザクション取引システムは、異なるネットワークおよびプロバイダ間のトランザクション取引の処理に関係する費用に対する取扱手数料のような、かなりの運営コストをしばしば伴う。さらに、トランザクション取引を一般的なレストラン環境に設定すると、顧客はクレジットカードを接客係に提示し、接客係はカードを顧客のテーブルから取り上げ、接客係はカードを顧客のテーブルから通常は共通の金銭登録機のそばに置いてあるＰＯＳ端末へ持ってゆき、カードをＰＯＳ端末に通し、その後カードおよびトランザクション取引明細書と共にテーブルへもどる。このような手続きは、混んでいるレストランの環境下では好ましくない非効率を生じ、クレジットカードが顧客の手を離れている時にスキミングや他のクレジットカードに対する不正行為の機会を生じ得る。これらの、および他の理由のために、現在の公知のシステムの限界を克服する、ＰＯＳシステムおよびその使用方法に対するニーズが存在する。
【０００４】
本発明は、経理および他の種類のトランザクション取引を処理するための、携帯用ＰＯＳシステム、デバイス、ならびに方法を提供することによって、これらの、および他の満たされていないニーズに対応する。
【発明の開示】
【課題を解決するための手段】
【０００５】
本発明の実施形態は、携帯用ＰＯＳデバイスを使用するクレジットカードによる支払い、および他の提示カード（ｐｒｅｓｅｎｔａｔｉｏｎ  ｉｎｓｔｒｕｍｅｎｔ）によるトランザクション取引を処理する方法、ならびにシステムを提供する。このようなデバイスは、さまざまな環境下で、さまざまな方法で使用され得る。例えば、デバイスは、店内で行われるトランザクション取引の効率および安全性を高めるために、レストランの主人によって使用され得る。都合の良いことには、本発明の実施形態は、既存のＰＣベースのＰＯＳシステムを有する小売商に、携帯用ＰＯＳデバイスでシステムを増強するという利点を提供する。既存のＰＣベースのＰＯＳシステムと互換性のある携帯用ＰＯＳデバイスを提供することは、小売商が既存のトランザクション取引能力を拡大されたサービス領域へと広げることを可能にする。実施形態はまた、既存のＰＯＳシステム端末を携帯用ＰＯＳデバイスおよびＰＣベースのＰＯＳシステム、または携帯電話用モデムを有する携帯用ＰＯＳデバイスと置き換えるという能力を、小売商に提供する。
【０００６】
本発明の実施形態はまた、携帯用ＰＯＳデバイスとＰＣベースのＰＯＳシステムとの間の統合、トランザクション取引伝送、トランザクション取引処理およびスイッチング、ならびにトランザクション取引決済能力を含む、トランザクション取引プロセス全体を支援するための、完全な端末相互間の基盤を含むシステムならびに方法を提供する。一部の実施形態では、ファーストデータコーポレーション（Ｆｉｒｓｔ  Ｄａｔａ  Ｃｏｒｐｏｒａｔｉｏｎ）、またはその子会社もしくは関連会社のような単一の事業体によって、これらの能力のすべてが提供されるか、またはサポートされている。
【０００７】
第一の局面では、本発明の実施形態は、トランザクション取引を処理する方法を提供する。該方法は、携帯用販売時点管理デバイスで提示カードの情報記憶媒体から独自の識別子を読み取るステップと、携帯用販売時点管理デバイスからＰＣベースの販売時点管理システムに無線ネットワークプロトコルに従って独自の識別子を送信するステップと、ＰＣベースの販売時点管理システムからホストコンピュータシステムに独自の識別子を送信するステップと、独自の識別子に基づいてホストコンピュータシステムを使用してトランザクション取引を処理するステップと、承認の返答を取得するために発行事業体に承認要求を送信するステップであって、承認要求は処理されたトランザクション取引に基づく、ステップと、承認の返答を携帯用販売時点管理デバイスに送信するステップと、を含む。独自の識別子は、非無線のトランザクション取引処理ネットワークを経由してＰＣベースの販売時点管理ベース端末からホストコンピュータシステムに送信され得る。該方法はまた、トランザクション取引情報を携帯用販売時点管理デバイス上に表示するステップを含み得る。一部の実施形態では、該方法は、携帯用販売時点管理デバイスで顧客の支払い承認を受領するステップを含む。提示カードは、ＰＩＮデビットカード、署名デビットカード、クレジットカード、または前払いカードであり得る。一部の実施形態では、独自の識別子は、携帯用販売時点管理デバイスからＰＣベースの販売管理システムに、ブルートゥースプロトコル、無線フィデリティ（ＷｉＦｉ）プロトコル、ワールドワイドインターオペラビリティフォアマイクロウエーブアクセス（ＷｉＭａｘ）プロトコル、または携帯電話用データプロトコルのような、プロトコルに従って送信され得る。該方法はまた、携帯用販売時点管理デバイスのリーダで独自の識別子を読み取るステップを含み得、ここでリーダは、スマートカードリーダ、磁気ストリップリーダ、バーコードリーダ、無線周波数リーダ、またはニアフィールドコミュニケーションリーダを含む。
【０００８】
別の局面では、本発明の実施形態は、トランザクション取引を処理する方法を提供する。該方法は、携帯用販売時点管理デバイスで提示カードの情報記憶媒体から独自の識別子を読み取るステップと、携帯用販売時点管理デバイスの携帯電話用データモデムからホストコンピュータシステムに独自の識別子を送信するステップと、独自の識別子に基づいてホストコンピュータシステムでトランザクション取引を処理するステップと、を含む。該方法はまた、携帯用販売時点管理デバイス上にトランザクション取引情報を表示するステップを含み得る。さらに、該方法は、携帯用販売時点管理デバイスで顧客の支払い承認を受領するステップを含み得る。一部の例では、提示カードは、ＰＩＮデビットカード、署名デビットカード、クレジットカード、または前払いカードであり得る。独自の識別子は、携帯用販売時点管理デバイスからＰＣベースの販売管理システムに、携帯電話用データプロトコルに従って送信され得る。一部の実施形態では、該方法はまた、携帯用販売時点管理デバイスのリーダで独自の識別子を読み取るステップを含み得、ここでリーダは、スマートカードリーダ、磁気ストリップリーダ、バーコードリーダ、無線周波数リーダ、またはニアフィールドコミュニケーションリーダである。
【０００９】
さらに別の局面では、本発明の実施形態は、トランザクション取引を処理するシステムを含む。該システムは、提示カードの情報記憶媒体から独自の識別子を受信する入力、および第一無線通信モジュールを有する、携帯用販売時点管理デバイスを含み得る。該システムはまた、独自の識別子が携帯用販売時点管理デバイスから販売時点管理ベース端末に無線で送信され得るように、無線ネットワークプロトコルを経由して第一無線通信モジュールと通信するように構成される第二無線通信モジュールを有する、ＰＣベースの販売時点管理システムを含み得る。該システムは、独自の識別子を販売時点管理システムから受信し、独自の識別子に基づいてトランザクション取引を処理するように構成される、ホストコンピュータシステムをさらに含み得る。一部の局面では、携帯用販売時点管理デバイスは、ＰＩＮデビットカード、署名デビットカード、クレジットカード、または前払いカードのような提示カードを受け入れるように構成され得る。携帯用販売時点管理デバイスは、ユーザにＰＩＮ番号の入力を要求するように構成され得る。一部の実施形態では、携帯電話用データプロトコルは、携帯電話デジタルパケットデータ（ＣＤＰＤ）プロトコル、汎用パケット無線通信システム（ＧＳＭ／ＧＰＲＳ）プロトコル、符号分割多重アクセス（ＣＤＭＡ）プロトコルを含み得る。携帯用販売時点管理デバイスは、ＰＩＮパッドを含み得る。一部の例では、携帯用販売時点管理デバイスは、スマートカードリーダ、磁気ストリップリーダ、バーコードリーダ、無線周波数リーダ、またはニアフィールドコミュニケーションリーダを含む、リーダを含み得る。
【００１０】
さらに別の局面では、本発明の実施形態は、トランザクション取引処理方法を提供する。該方法は、トランザクション取引の金額を計算するステップと、携帯用ＰＯＳデバイスで顧客の提示カードから提示カード情報を取得するステップと、提示カード情報をＰＣベースのＰＯＳシステムに送信するステップと、提示カード情報、販売情報、および承認要求を取得者（ａｃｑｕｉｒｅｒ）に送信するステップと、提示情報、販売情報、および承認要求を発行者（ｉｓｓｕｅｒ）に送信するステップと、を含み得る。該方法はまた、許可または拒絶を決定するために提示情報、販売情報、および承認要求を処理するステップと、許可または拒絶を取得者に送信するステップと、許可または拒絶をＰＣベースのＰＯＳシステムに送信するステップと、を含み得る。
【００１１】
さらに別の局面では、本発明はトランザクション取引を処理する方法を提供する。該方法は、携帯用販売時点管理デバイスで提示カードの情報記憶媒体から独自の識別子の読み取るステップと、携帯用販売時点管理デバイスから販売時点管理ベース端末に無線ネットワークプロトコルに従って独自の識別子を送信するステップと、販売時点管理ベース端末からホストコンピュータシステムに独自の識別子を送信するステップと、独自の識別子に基づいてホストコンピュータシステムを使用してトランザクション取引を処理するステップと、を含み得る。一部の実施形態では、トランザクション取引処理方法は、非無線のトランザクション取引処理ネットワークを経由して販売時点管理ベース端末からホストコンピュータシステムに独自の識別子を送信するステップを含み得る。一部の実施形態では、該方法は、顧客に対して取引情報を携帯用販売時点管理デバイス上に表示するステップを含み得る。該方法はまた、顧客からの支払い承認を販売時点管理デバイスで受領するステップを含み得る。関連して、該方法は、ＰＩＮデビットカード、署名デビットカード、クレジットカード、または前払いカードのような提示カードから、独自の識別子を読み込むステップを含み得る。一部の場合では、該方法は、ブルートゥースプロトコル、無線フィデリティ（ＷｉＦｉ）プロトコル、ワールドワイドインターオペラビリティフォアマイクロウエーブアクセス（ＷｉＭａｘ）プロトコル、または携帯電話用データプロトコルのような選択されたプロトコルに従って、携帯用販売時点管理デバイスから販売時点管理ベース端末に独自の識別子を送信するステップを含み得る。一部の例では、該方法は、携帯用販売時点管理デバイスのリーダを使用して独自の識別子を読み込むステップを含み得る。リーダは、例えば、スマートカードリーダ、磁気ストリップリーダ、バーコードリーダ、無線周波数リーダ、またはニアフィールドコミュニケーションリーダを含み得る。
【００１２】
一部の局面では、本発明の実施形態は、後付け（ｒｅｔｒｏｆｉｔ）ＰＯＳ端末システムを含む。後付けＰＯＳ端末システムは、例えば、提示カードの情報記憶媒体から独自の識別子を受信する入力および第一無線通信モジュールを有する、携帯用販売時点管理デバイスを含み得る。後付けシステムはまた、ＰＣベースのＰＯＳシステムまたはＰＯＳベース端末用のアダプタを含み得る。アダプタは、独自の識別子が携帯用販売時点管理デバイスからアダプタに無線で送信され得るように、無線ネットワークプロトコルを介して第一無線通信モジュールと通信するように構成される、第二無線通信モジュールを含み得る。アダプタは、独自の識別子を販売時点管理ベース端末の入力インターフェースに送信するように構成され得る。一部の実施形態では、携帯用ＰＯＳデバイスは、ＰＩＮデビットカード、署名デビットカード、クレジットカード、または前払いカードのような提示カードを受け入れるように構成される。関連して、携帯用ＰＯＳデバイスは、ユーザにＰＩＮ番号の入力を要求するように構成され得る。無線ネットワークプロトコルは、ブルートゥースプロトコル、無線フィデリティ（ＷｉＦｉ）プロトコル、ワールドワイドインターオペラビリティフォアマイクロウエーブアクセス（ＷｉＭａｘ）プロトコル、携帯電話用データプロトコルなどを含み得る。一部の例では、携帯用ＰＯＳデバイスはＰＩＮパッドを含む。一部の例では、携帯用ＰＯＳデバイスは、スマートカードリーダ、磁気ストリップリーダ、バーコードリーダ、無線周波数リーダ、またはニアフィールドコミュニケーションリーダ、などを含む。
【００１３】
一局面では、本発明の実施形態は、ＰＣベースのＰＯＳシステムまたはＰＯＳベース端末を後付けする方法を提供する。該方法は、提示カードの情報記憶媒体から独自の識別子を受信する入力、および第一無線通信モジュールを有する、携帯用ＰＯＳデバイスを提供するステップを含み得る。該方法はまた、アダプタをＰＣベースのＰＯＳシステムまたはＰＯＳベース端末と結合するステップを含み得、アダプタは、独自の識別子が携帯用販売時点管理デバイスからアダプタに無線で送信され得るように、無線ネットワークプロトコルを介して第一無線通信モジュールと通信するように構成される、第二無線通信モジュールを含む。アダプタは、独自の識別子を販売時点管理ベース端末の入力インターフェースに送信するように構成され得る。携帯用ＰＯＳデバイスは、ＰＩＮデビットカード、署名デビットカード、クレジットカード、前払いカード、などのような提示カードを受け入れるように構成され得る。一部の実施形態では、無線ネットワークプロトコルは、ブルートゥースプロトコル、無線フィデリティ（ＷｉＦｉ）プロトコル、ワールドワイドインターオペラビリティフォアマイクロウエーブアクセス（ＷｉＭａｘ）プロトコル、携帯電話用データプロトコル、などを含む。
【発明を実施するための最良の形態】
【００１４】
本発明の様々な実施形態は、顧客とのトランザクション取引の使用に適している携帯用ＰＯＳデバイスに向けられている。一部の実施形態では、携帯用ＰＯＳデバイスは、ＰＣベースのＰＯＳシステムと通信可能に結合している。携帯用ＰＯＳデバイスはまた、ホストコンピュータシステムと通信可能に結合している。このような携帯用ＰＯＳデバイスは、クレジットカードおよび他の提示カードと併せて使用されることができ、レストラン産業において実装するのに大変適している。ここで図の説明をすると、図１は、本発明の一実施形態に従ったトランザクション取引処理システム１００を示す。トランザクション取引処理システム１００は、１つ以上の携帯用ＰＯＳデバイス１１０、ＰＣベースのＰＯＳシステム１３０またはベースユニット、およびホストコンピュータシステム１４０を含む。携帯用ＰＯＳデバイス１１０は、提示カード１５０の情報記憶媒体から独自の識別子を受信する入力１１２、および無線通信モジュール１１４を含み得る。ＰＣベースのＰＯＳシステム１３０は、無線通信モジュール１３２を含み得る。一般的に入力１１２は、スマートカードリーダ、磁気ストリップリーダ、バーコードリーダ、無線周波数リーダ、ニアフィールドコミュニケーションリーダなどのような、リーダと結合しているか、またはリーダを含んでいる。
【００１５】
無線通信モジュール１１４および１３２は、独自の識別子が携帯用ＰＯＳデバイス１１０からＰＣベースのＰＯＳシステム１３０に無線で送信されるように、ネットワーク１２０上で無線ネットワークプロトコルを介して通信するように構成され得る。一部の実施形態では、無線送信は、ＷｉＦｉ、ブルートゥース、携帯電話用プロトコル、またはコネクティビティを通じてなされ得る。ＷｉＦｉは、ＩＥＥＥ８０２．１１仕様に準拠する無線ローカルエリアネットワーク（ＷＬＡＮ）用の、１組の適合性標準を含み得る。ブルートゥースは、低電力の短距離無線技術によって支えられ得、シリアルケーブルを置き換えることができる。携帯電話は、８００ＭＨｚ範囲で動作しグリッドを使用する無線ネットワークを含み得、その領域は、各々がアンテナを有する異なるセルに分けられている。送信はセルからセルへと「手渡し」され得る。関連して、携帯用ＰＯＳデバイス１１０は、ＰＣベースのＰＯＳシステム１３０の中に統合され得る。
【００１６】
ホストコンピュータシステム１４０は、ネットワーク１５０を通して、ＰＣベースのＰＯＳシステム１３０から独自の識別子を受信するように構成され得る。一部の実施形態では、ネットワーク１５０は標準ＰＯＳ通信回線を含む。標準ＰＯＳ通信回線は、ダイヤルアップ、無線、インターネット伝送、フレームリレー、および超小型地上局（Ｖｅｒｙ  Ｓｍａｌｌ  Ａｐｅｒｔｕｒｅ  Ｔｅｒｍｉｎａｌ）（ＶＳＡＴ）のような技術を含み得る。ダイアヤルアップの実施形態は、アナログ電話回線との接続性を提供するネットワークを含む。無線の実施形態は、固定有線電話回線の代換品を除去する技術を含み、実質的に任意の地点からのプロセスペイメントを可能にする。無線はダイヤルアップよりも早く動作でき、ビジネス電話とその支援リソースの必要性を排除し得る。キオスクのような離れた場所の小売商は、可動式無線技術から恩恵を受けることができる。インターネット伝送の実施形態は、通信制御プロトコル／インターネットプロトコルのような、インターネット上でホストと接続するために用いられる通信プロトコルのスートを含む。フレームリレーの実施形態は、広域ネットワーク（ＷＡＮ）上でデバイスを接続するパケット交換プロトコルを含む。ＶＳＡＴの実施形態は、会社および現地事務所との間でデータ、音声および映像の衛星送信を提供するネットワークを含む。
【００１７】
一般的に、ホストコンピュータシステム１４０は、独自の識別子に基づいて１つのトランザクション取引、またはトランザクション取引の一部を処理する。しばしばこのような処理は、承認と支払いを伴う。一部の実施形態では、携帯用ＰＯＳデバイス１１０および／またはＰＣベースのＰＯＳシステム１３０のようなトランザクション取引システム１００の構成要素は、同じ事業体もしくはプロバイダ、またはそれらの子会社もしくは関連会社によって開発され、保守されている。このようにして本システムは、異なるネットワークおよびデバイスプロバイダの間のトランザクション取引処理に関係する費用に対する取扱い手数料のような、非効率的な、または望ましくない運用コストを削減し得る。
【００１８】
一部の実施形態では、携帯用ＰＯＳデバイス１１０は、ＰＣベースのＰＯＳシステム１３０、ＰＯＳベースの端末、電子金銭登録機（ＥＣＲ）、携帯情報端末（ＰＤＡ）、または他のそのようなデバイスと、インターフェース可能な安全なデバイス（ｓｅｃｕｒｅ  ｄｅｖｉｃｅ）である。携帯用ＰＯＳデバイス１１０は、個人識別番号（ＰＩＮ）入力、平文入力（ｃｌｅａｒ  ｔｅｘｔ  ｅｎｔｒｙ），署名キャプチャ（ｓｉｇｎａｔｕｒｅ  ｃａｐｔｕｒｅ）などのような、小売店頭の環境で顧客によって使用される機能性を付与するように構成されているソフトウエアおよび／またはハードウエアモジュールを提供し得る。このような特徴は、チャージバックに関連する望ましくない複雑さの削減に加えて、テーブルサイドまたは販売時点管理サービスでの効率を向上し得る。様々な実施形態で、携帯用ＰＯＳデバイス１１０は、ＰＣベースのＰＯＳシステム１３０または他の適切なベースシステムから離れて作動可能な、スタンドアロンユニットとして使用され得る。
【００１９】
ＰＣベースのＰＯＳシステム１３０および携帯用ＰＯＳデバイス１１０は、互いに独立して、または関連して、小売商が保持しているＰＣベースのＰＯＳシステム１３０および／または携帯用ＰＯＳデバイス１１０を通じて提供される幅広いトランザクション取引サービスとともに、様々な機能をサポートし得る。このようなトランザクション取引サービスは、業務用の、小売の、およびサービスのトランザクション取引、送金、為替、小切手および小切手保証サービス、などを含み得るが、これらに限定はされない。例えばＰＣベースのＰＯＳシステム１３０、および携帯用ＰＯＳデバイス１１０は、レストラン設備または任意の種類の食事施設において、提示カードを受け入れるように構成され得る。携帯用ＰＯＳデバイス１１０は、レストラン特有のトランザクション取引情報を表示するように、顧客の支払い承認を受け付けるように、などのように構成され得る。一部の例では、携帯用ＰＯＳデバイス１１０は、メニュー品目を表示し得る。一部の実施形態では、携帯用ＰＯＳデバイスは、請求書の日付および金額、チップの金額、料理の内容、飲み物、あるいは他の購入品目またはサービスを表示し得る。他の表示入力は、接客係またはレストラン従業員の名前あるいは識別番号、ならびにレストランの名称および場所を含み得る。トランザクション取引システム１００は、クレジットカード、ギフトカード、デビットカード、小切手などを含む任意の様々な支払い方法を受付け、処理するように構成され得る。トランザクション取引システム１００はまた、お得意様データベース、レポーティングツール、および日付、お得意様、支払い方法、従業員などに基づく支払い受領管理機能を提供する、ソフトウエアを含み得る。ＰＣベースのＰＯＳシステム１３０またはトランザクション取引システム１００の他の構成要素は、ウインドウズ（登録商標）またはリナックスを含む、任意の様々なオペレーティングシステム上で動作するように構成され得る。さらに、このようなシステムまたは構成要素は、ＯＰＯＳ、Ｊａｖａ（登録商標）ＰＯＳ、およびユニファイドＰＯＳを含む、任意の様々なＰＯＳ標準をサポートするように構成され得る。
【００２０】
一部の実施形態では、トランザクション取引サービスは、ＰＣベースのＰＯＳシステム１３０および／または携帯用ＰＯＳデバイス１１０を介してアクセス可能なホストコンピュータシステム１４０を維持している、１つ以上の第三者サプライヤーによって提供され得る。例えば、第一サプライヤーのトランザクション取引システムへのアクセスを通じて、ＰＣベースのＰＯＳシステム１３０および／または携帯用ＰＯＳデバイス１１０によって、為替が要求され印刷され得、一方では、第二サプライヤーのトランザクション取引システムへのアクセスを通じて、ＰＣベースのＰＯＳシステム１３０および／または携帯用ＰＯＳデバイス１１０によって、小切手保証サービスが提供される。
【００２１】
一部の実施形態では、携帯用ＰＯＳデバイス１１０は、顧客からアクセス可能な形式ではあるが、ＰＣベースのＰＯＳシステム１３０によって提供されるものと同一の機能性を提供する。このようにして、例えば、ＰＣベースのＰＯＳシステム１３０は、小売商またはレストランの主人による操作用として適合され得、一方では、同じ機能性が携帯用ＰＯＳデバイス１１０に実装され、顧客による操作用として適合され得る。特定の実施形態では、ＰＣベースのＰＯＳシステム１３０は、小売商店またはレストランの勘定台にある金銭登録機の側に置かれ、一方では、携帯用ＰＯＳデバイス１１０は、勘定台または他の顧客からアクセス可能な任意の適切な場所に置かれる。このような方法で、小売商と顧客の両方が、トランザクション取引を実行するために同様のデバイスを用いて対話し得る。
【００２２】
他の実施形態では、ＰＣベースのＰＯＳシステム１３０は多くの構成要素を含み、一方では、携帯用ＰＯＳデバイス１１０は、このような構成要素の一部のみを含む。このようにして、例えば、顧客は、携帯用ＰＯＳデバイス１１０を通じて限られた数のトランザクション取引、または他のトランザクション取引の一部分のみを行うことができるが、小売商はＰＣベースのＰＯＳシステム１３０を通じてすべてのトランザクション取引を行うことができる。
【００２３】
さらに他の実施形態では、ＰＣベースのＰＯＳシステム１３０は、一部の構成要素を含み、携帯用ＰＯＳデバイス１１０は、構成要素の補完的なセットを含む。このようにして、例えば、トランザクション取引に関係する顧客からの情報を集めるために役立つ機能が、携帯用ＰＯＳデバイス１１０の一部として設置され、一方では、トランザクション取引に関係して小売商によって使用される構成要素が、ＰＣベースのＰＯＳシステム１３０の部分として設置される。
【００２４】
一部の実施形態では、携帯用ＰＯＳデバイス１１０は、ケーブルを通じてＰＣベースのＰＯＳシステム１３０と通信可能に結合される。他の実施形態では、携帯用ＰＯＳデバイス１１０は、無線周波数（ＲＦ）または視線接続（ｌｉｎｅ  ｏｆ  ｓｉｇｈｔ  ｃｏｎｎｅｃｔｉｏｎ）を通じてＰＣベースのＰＯＳシステム１３０と通信可能に結合される。携帯用ＰＯＳデバイス１１０とＰＣベースのＰＯＳシステム１３０との間の他の適切な無線ネットワーク接続プロトコルは、ブルートゥースプロトコル（例えば、ＩＥＥＥ８０２．１５．１）、ならびに無線パーソナルエリアネットワークス（ＰＡＮｓ）、無線フィデリティ（ＷｉＦｉ）プロトコル、ワールドワイドインターオペラビリティフォアマイクロウエーブアクセス（ＷｉＭａｘ）プロトコル、および携帯電話用データプロトコル用の他の産業用規格を含む。ＷｉＦｉプロトコルは、例えば、ＩＥＥＥ８０２．１１ａプロトコル、ＩＥＥＥ８０２．１１ｂプロトコル、および他の無線ローカルエリアネットワーク（ＷＬＡＮ）プロトコルを含み得る。同様に、ＷｉＭａｘプロトコルは、例えば、ＩＥＥＥ８０２．１６プロトコルを含み得る。
【００２５】
前述の説明は、ＰＣベースのＰＯＳシステム１３０と携帯用ＰＯＳデバイス１１０との間の様々な相互接続を識別しているが、当業者であれば、ＰＣベースのＰＯＳシステム１３０を携帯用ＰＯＳデバイス１１０と通信可能に結合可能な多数の他の種類の相互接続方法を理解する。さらに、１つ以上の携帯用ＰＯＳデバイス１１０が、１つのＰＣベースのＰＯＳシステム１３０と関連付けられ得ることが、理解されるべきである。あるいは、一部の実施形態では、関連する携帯用ＰＯＳデバイス１１０を伴なわずにＰＣベースのＰＯＳシステム１３０が実装される。
【００２６】
一部の実施形態では、ＰＣベースのＰＯＳシステム１３０は、様々な小売環境における使用を目標とする、インテリジェントな、カウンタートップの、小売商が起動するＰＯＳデバイスである。一部の小売環境は、レストランまたは小売購買を達成する；送金する；クレジット、デビット、ギフトおよび前払いカード、ならびに電話カードおよび／またはギフトカードを含むがこれらに限定されないそのようなカードに対するトランザクション取引機能を提供する；不正行為の探知と監視を実行する；などの能力を含む。一部の実施形態では、ＰＣベースのＰＯＳシステム１３０は単一の自己完結型デバイスとして動作するが、しかし、大部分の実施形態では、ＰＣベースのＰＯＳシステム１３０は、他の１つ以上の携帯用ＰＯＳデバイス１１０と併せて動作する。
【００２７】
ＰＣベースのＰＯＳシステム１３０およびホストコンピュータシステム１４０は、例えば、ＴＣＰ／ＩＰ準拠バーチャルプライベートネットワーク（ＶＰＮ）、インターネット、ローカルエリアネットワーク（ＬＡＮ）、ワイドエリアネットワーク（ＷＡＮ）、電話回線、携帯電話用ネットワーク、光ネットワーク、無線ネットワーク、非無線ネットワーク、または任意の他の同様の通信ネットワークもしくはトランザクション取引処理ネットワークを含む、任意の様々なネットワークを経由して、通信可能に結合され得る。特定の実施形態では、トランザクション取引ネットワーク１５０が、ＰＣベースのＰＯＳシステム１３０とホストコンピュータシステム１４０との間でメッセージベースの通信を提供する。
【００２８】
一部の実施形態では、通信ネットワーク１５０は、様々のネットワークタイプの組み合わせを含む。例えば、一実施形態では、通信ネットワーク１５０は、ＰＣベースのＰＯＳシステム１３０とホストコンピュータシステム１４０との間の通信のためにインターネットを含み、ＰＣベースのＰＯＳシステム１３０と第二ホストコンピュータシステム（図示されていない）との間の通信のためにＶＰＮを含む。他の多くのネットワークタイプまたはそれらの組み合わせが、ＰＣベースのＰＯＳシステム１３０と１つ以上のホストコンピュータシステム１４０との間の通信を促進することができる。
【００２９】
ホストコンピュータシステム１４０は、ＰＣベースのＰＯＳシステム１３０に関連して実行されるトランザクション取引の処理が可能な、任意のシステムであり得る。例えば、ホストコンピュータシステム１４０は、現金、クレジットまたはバリュー転送システム、不正行為探知システム、不渡り小切手探知システム、電話または前払いカード販売システム、請求書支払いシステム、請求書提示システム、小切手受領システム、給料支払いシステム、小切手受領システム、などであり得る。
【００３０】
図２は、トランザクション取引処理システム２００の別の実施形態を示す。トランザクション取引処理システム２００は、１つ以上の携帯用ＰＯＳデバイス２１０およびホストコンピュータシステム２２０を含む。携帯用ＰＯＳデバイス２１０は、提示カード２６０の情報記憶媒体から独自の識別子を受信する入力２１２、および携帯電話用データモデムのような無線通信モジュール２１４を含み得る。ホストコンピュータシステム２２０は、無線通信モジュール２２２を含み得、または、無線通信接続機能を有するネットワークまたはシステムとインターフェースし得る。一般的に、入力２１２は、スマートカードリーダ、磁気ストリップリーダ、バーコードリーダ、無線周波数リーダ、ニアフィールドコミュニケーションリーダなどの、リーダと結合しているか、またはリーダを含んでいる。無線通信モジュール２１４および２２２は、独自の識別子が携帯用ＰＯＳデバイス２１２からホストコンピュータシステム２２０に無線で送信され得るように、ネットワーク２３０上で無線ネットワークプロトコルを介して通信するように構成され得る。一部の場合では、無線ネットワークプロトコルは、ブルートゥースプロトコル、無線フィデリティ（ＷｉＦｉ）プロトコル、ワールドワイドインターオペラビリティフォアマイクロウエーブアクセス（ＷｉＭａｘ）プロトコル、携帯電話用データプロトコル、などを含み得る。一般的に、ホストコンピュータシステム２２０は、独自の識別子に基づいて、トランザクション取引またはトランザクション取引の一部を処理する。
【００３１】
一部の実施形態では、無線通信モジュール２１４および２２２は、携帯電話デジタルパケットデータ（ＣＤＰＤ）プロトコル、汎用パケット無線サービス（ＧＳＭ／ＧＰＲＳ）プロトコル、符号分割多重アクセス（ＣＤＭＡ）プロトコル、などのような携帯電話用データプロトコルを介して通信するように構成され得る。例示的なＧＳＭ／ＧＰＲＳプロトコルは、ＥＤＧＥ（エンハンストデータレートフォアグローバルエボリューション）、ユニバーサルモバイルテレコミュニケーションズシステム（ＵＭＴＳ）、およびハイスピードダウンリンクパケットアクセス（ＨＳＤＰＡ）を含む。例示的なＣＤＭＡプロトコルは、シングルキャリアレディオトランスミッションテクノロジー（１ｘＲＴＴ）およびシングルキャリアエボルーションデータオンリー（１ｘＥｖＤＯ）を含む。
【００３２】
図３のトランザクション取引処理システム３００の実施形態に示されるように、携帯用ＰＯＳデバイス３１０の一部を形成し得る例示的な構成要素は、無線通信モジュール３１０ａ、コントローラ３１０ｂ、ディスプレイ３１０ｃ、および提示カードリーダ３１０ｄを含む。他の構成要素は、キーパッド、一体型ロールプリンタ、一体型スリッププリンタ、他のタイプのプリンタ、磁気インク文字読取（ＭＩＣＲ）装置、スマートカードリーダ、ＰＩＮパッド、安全システム、文書撮像素子（ｄｏｃｕｍｅｎｔ  ｉｍａｇｅｒ）、イーサネット（登録商標）およびＵＳＢ通信を含む接続および／または通信ポート、モデム、マイクロフォン、スピーカ、タッチスクリーン、カード発行器、オペレーティングシステム、ソフトウエア、サウンドカードおよび／またはＩ／Ｏカードのようなサーキットカード、を含み得るが、これらに限定はされない。加えて、インターフェースが、外部モニタおよび／またはキーボードとの接続のために提供され得る。一部の実施形態では、ＰＣベースのＰＯＳシステム３２０は、これらの構成要素のすべてまたは一部を含み得る。これらの構成要素は、クレジットトランザクション取引、デビットトランザクション取引、小切手トランザクション取引、送金トランザクション取引、為替販売、請求書支払い、カストマーロイヤルティプログラム管理、クーポンの発行、クーポンの受領、前払いカードの発行、様々なトランザクション取引タイプに関連する不正行為の探知、および他のこのような機能を含む、多くの種類の電子的支払いおよび他のトランザクション取引を処理するために、小売商によってトランザクション取引処理システム３００が使用されることを可能にする。
【００３３】
トランザクション取引処理システム３００、または携帯用ＰＯＳデバイス３１０もしくはＰＣベースのＰＯＳシステム３２０を含むその個々の局面はまた、共有に係る米国特許出願第１０／１１６，６８６号、第１０／１１６，６８９号、第１０／１１６，７３３号および第１０／１１６，７３５号（以上は全て２００２年４月３日出願）、および米国特許出願第１０／３５８，６１５号（２００３年２月５日出願）、および米国特許出願第１０／３７０、２８２号（２００３年２月１９日出願）で述べられている処理システム、ＰＯＳデバイス、および／またはベースユニットの構成要素、特徴、および／または性能を組み込み得、これら特許出願のすべての開示は、本明細書においてすべての目的のために参考として援用される。このような構成要素は、ＰＯＳデバイス３１０が、顧客が好みのトランザクション取引方法を選択してトランザクション取引の品目名の詳細を見ることを可能にする、双方向動作ツールとなることを可能にする。このような構成要素はまた、顧客または小売商に、広告（例えば文字、グラフィックおよび／またはビデオ広告）およびクーポンのようなウエブ利用可能な電子サービスを提供することを可能にする。トランザクション取引システム３００はまた、カードがクレジット、デビット、またはその両方として処理され得るかを判断するための銀行識別番号（ＢＩＮ）参照表を含むＢＩＮ管理機能、および小売商が個人識別番号（ＰＩＮ）の入力を要求できるトランザクション取引を可能にするＰＩＮの識別を、サポートするように構成され得る。ＢＩＮ管理手順は、カード所有者にＰＩＮデビット支払いの使用を奨励する１つの方法として、カード所有者のＰＩＮ番号を使用することを要求するように構成され得る。
【００３４】
本発明の一部の実施形態は、様々な中央システムと関連して携帯用ＰＯＳデバイスを使用するためのシステムおよび方法を含む。このような中央システムは、電子支払いシステム、送金システム、クレジットトランザクション取引システム、小切手トランザクション取引および確認システム、為替販売、前払いシステム、カストマーロイヤルティプログラムに関連する管理システム、クーポン処理システム、不正行為探知システム、宝くじ販売システム、および他の多くのこのようなトランザクション取引システムを含み得る。
【００３５】
特定の実施形態では、携帯用ＰＯＳデバイスは様々なトランザクション取引システムにアクセスし、または双方向動作するために使用され得る。さらに、一部の実施形態では、トランザクション取引システムは、携帯用ＰＯＳデバイスを開発し維持している組織とは別の組織によって、開発され維持されている。一部の実施形態では、トランザクション取引システムおよび携帯用デバイスは、同じ組織によって開発され維持されている。一部の実施形態では、携帯用ＰＯＳデバイスは、例えば特定の小売商の様々なトランザクション取引システムへの加入に従って、トランザクション取引システムによって個々にイネーブルされ、またディスエーブルされ得る、多くの構成要素を含む。
【００３６】
本発明の実施形態はまた、クレジットカードによる支払いおよび他の提示カードによるトランザクション取引を処理するための、コンピュータ化された方法およびシステムを提供する。クレジットカードに関しては、一般的なクレジットカードによるトランザクション取引は、多くの組織を含む。カード所有者および発行者に加えて、クレジットカードによるトランザクション取引に含まれる組織は、小売商、取得者およびＶｉｓａ（登録商標）あるいはマスターカード（登録商標）のようなクレジットカード提携会社を含み得る。しばしば取得者は、例えば小売商と商取引があり、小売商からのクレジットカードによるトランザクション取引を取り扱う市中銀行のような、企業事業体である。
【００３７】
一般的なクレジットカードまたは提示カードによるトランザクション取引は、以下のステップを含み得る。第一にトランザクション取引または購入の金額が計算され、カード所有者に支払が要求される。レストラン環境においては、接客係または小売商が、食べ物および飲み物の品目をトランザクション取引システムに入力し得る。図１を参照して、これは、例えば、ＰＣベースのＰＯＳシステム１３０または携帯用ＰＯＳデバイス１１０を介して達成される。カード所有者は、クレジットカードを接客係に渡し得、接客係はクレジットカードを携帯用ＰＯＳデバイス１１０に通す。あるいは、カード所有者自らが、クレジットカードを携帯用ＰＯＳデバイス１１０に通し得る。携帯用ＰＯＳデバイス１１０の携帯性が、カード所有者の目の前でカードを処理することを可能にし、かくして、悪徳小売商またはその従業員によるスキミングおよび他のクレジットカードの不正行為のリスクを軽減する。クレジットカードの使用に加えて、カード所有者は、支払いトランザクション取引を実行するために、任意の適切な提示カードまたは支払い方法の使用を選択し得ることが、理解される。携帯用ＰＯＳデバイス１１０は、クレジットカードおよび販売情報を取り込み、このような情報を承認要求とともに取得者に送信し得る。この送信はＰＣベースのＰＯＳシステム１３０を経由して実施され得る。次に、取得者は、携帯用ＰＯＳデバイス１１０および／またはＰＣベースのＰＯＳシステム１３０から受信した情報を処理し、任意の関連情報および承認要求を発行者に転送する。発行者は関連情報および承認要求を処理し、取引が承認されるべきであるかを判断する。発行者は、次いで、許可または拒絶コードを取得者に返信する。取得者は許可または拒絶コードを、小売商による使用のために、携帯用ＰＯＳデバイス１１０および／またはＰＣベースのＰＯＳシステム１３０に中継する。トランザクション取引が承認された場合には、カード所有者は小売商とのトランザクション取引を達成することができる。一般的に、後日、発行者および取得者によって維持される勘定が決済され、消し込まれる。最終的に発行者は、トランザクション取引金額から手数料を引いた金額を取得者に送金する。取得者は次いで、発行者から受け取った金額から手数料を差し引く。次いで、残額が、取得者によって小売商の口座へ送金される。発行者はまた、カード所有者にクレジットカード明細書を送付することによって、トランザクション取引金額をカード所有者に請求する。カード所有者は、一般的に月次ベースで、発行者によって請求書を送られる。
【００３８】
図４は、本発明の実施形態に従った例示的なトランザクション取引方法４００を図示する。ステップ４１０は、トランザクション取引の金額を計算すること含む。これは、例えば、任意の食べ物、飲み物の品目を含むレストランの請求書の合計金額を決定することを含み得る。ステップ４２０は、顧客に支払い金額を要求することを含む。一部の場合では、接客係またはレストランの従業員が、お得意様にトランザクション取引金額および任意の他のトランザクション取引の詳細を示す請求書を提示し得る。ステップ４３０は、携帯用ＰＯＳデバイスで、提示カード情報を取り込むことを含む。しばしばこれは、クレジットカードを携帯用ＰＯＳデバイスのリーダに通すことによって達成される。このステップはまた、顧客からＰＩＮ番号のような承認または証明情報を受領することを含み得る。ステップ４４０は、ＰＣベースのＰＯＳシステムに提示カード情報を送信することを含む。ステップ４５０は、提示カード情報、販売情報、および承認要求を取得者に送信することを含む。ステップ４６０では、提示情報、販売情報、および承認要求が発行者に送信される。ステップ４７０では、提示情報、販売情報、および承認要求が処理される。ステップ４８０は、取得者に許可または拒絶を送信することを含む。ステップ４９０は、小売商の携帯用ＰＯＳデバイスまたはＰＣベースのＰＯＳシステムに、許可または拒絶を送信することを含む。
【００３９】
上記は、典型的なクレジットカードによるトランザクション取引の、単なる一般的な説明である。変更および追加の処理が含まれ得る。例示的な取引方法およびシステムが、米国特許出願第１０／０９１，６０６号（２００２年３月４日出願）、および第１０／３８２，０９３号（２００３年３月４日出願）で述べられており、その特許出願のすべての開示が、本明細書においてすべての目的のために参考として援用される。発行者および取得者のような特定の団体が、特定の機能を遂行するように上記記載されているが、ある状況においては、これらの団体によって遂行される機能の大部分またはすべてが、その団体に代わって第三者によって実行され得ることが、また理解されるべきである。一部の実施形態では、機能の大部分またはすべてが、単一の団体によって遂行され得る。
【００４０】
図５は、本発明の一実施形態に従ったトランザクション取引処理システム５００を図示する。トランザクション取引処理システム５００は、１つ以上の携帯用ＰＯＳデバイス５１０、ＰＣベースのＰＯＳシステム５３０またはベースユニット、およびホストコンピュータシステムまたは承認プロセッサ５４０を含む。携帯用ＰＯＳデバイス５１０は、提示カードの情報記憶媒体から独自の識別子を受信するための入力を含み得る。携帯用ＰＯＳデバイス５１０およびＰＣベースのＰＯＳシステム５３０は、１つ以上のネットワーク５２０上で、無線ネットワークプロトコルを通じて通信するように構成され得る。ホストコンピュータシステム５４０およびＰＣベースのＰＯＳシステム５３０は、一部の実施形態では標準ＰＯＳ通信回線を含み得る、ネットワーク５５０を介して通信するように構成され得る。本発明の実施形態は、トランザクション取引処理システム５００が、携帯用ＰＯＳデバイス５１０とＰＣベースのＰＯＳシステム５３０との間の統合、トランザクション取引伝送、トランザクション取引処理およびスイッチング、ならびにトランザクション取引決済能力を含む、全体のトランザクション取引プロセスをサポートするための完全な端末相互間の基盤を提供することを意図する。一部の実施形態では、これらのすべての能力が、ファーストデータコーポレーションまたはその関連会社のような、単一の事業体によって提供されるか、またはサポートされている。トランザクション取引処理システム５００は、ホストコンピュータ５４０と、マスターカード（登録商標）、ＶＩＳＡ（登録商標）、ＳＴＡＲ（登録商標）Ｄｅｂｉｔ、アメリカンエクスプレス（登録商標）などの様々な発行事業体５６０との間の接続を含む。このようにして、トランザクション取引処理システム５００は、承認目的のためにトランザクション取引情報を発行事業体５６０に転送することと、承認を携帯用ＰＯＳデバイス５１０に返信することを含む、処理方法を実行し得る。例えば、例示的な方法は、承認の返答を取得するために承認要求を発行事業体５６０に送信することを含み得、ここで承認要求は処理されたトランザクション取引に基づくものであり、例示的な方法はまた、承認の返答を携帯用ＰＯＳデバイス５１０に送信することを含み得る。
【００４１】
本発明の各々のデバイスまたはモジュールは、プロセッサ、ハードウエアモジュール、またはそれらの任意の組み合わせによって処理される、コンピュータ可読媒体上のソフトウエアモジュールを含み得る。ウインドウズ、マッキントッシュ、およびユニックスのような、様々な一般に使用される任意のプラットフォームが、様々な一般に使用される任意のプログラミング言語と共に、本発明を実装するために使用され得る。
【００４２】
いくつかの実施形態を説明してきたが、様々な修正、代替的な構造、および均等物が、本発明の精神から逸脱することなく使用され得るということが、当業者によって認識される。本発明は、本明細書において説明されている方法を実行し得るシステムを包含し、また同様に、そのために本明細書において説明されているシステムが使用され得る方法をも包含する。さらに、本発明を不必要にあいまいにすることを避けるために、多くの周知のプロセスおよび要素が説明されていない。例えば、当業者は、どのように計算機をネットワークの中に配置して、それらの間の通信を設定するかを知っている。従って上記の説明は、請求項によって規定される本発明の範囲を限定するものとして、とられるべきではない。
【図面の簡単な説明】
【００４３】
【図１】図１は、本発明の一実施形態に従ったトランザクション取引処理システムを示す。
【図２】図２は、本発明の一実施形態に従ったトランザクション取引処理システムを示す。
【図３】図３は、本発明の一実施形態に従った携帯用ＰＯＳデバイスおよびＰＣベースのＰＯＳシステムを示す。
【図４】図４は、本発明の一実施形態に従ったトランザクション取引処理方法を示す。
【図５】図５は、本発明の一実施形態に従ったトランザクション取引処理システムを示す。
【図１】
2009529732.tif 000003
【図２】
2009529732.tif 000004
【図３】
2009529732.tif 000005
【図４】
2009529732.tif 000006
【図５】
2009529732.tif 000007
【国際調査報告】
2009529732.tif 000008
2009529732.tif 000009